(57)【特許請求の範囲】
【請求項１】
アダプタであって、
第１レセプタクルを備える第１ハウジングと、
第２レセプタクルを備える第２ハウジングと、
前記第１レセプタクル内の第１接触部分と前記第２レセプタクル内の第２接触部分とを有する複数の接点と、
複数の側方接地接点であって、各側方接地接点は、前記第１レセプタクル内の第１接触部分と、前記第２レセプタクル内の第２接触部分とを有する、複数の側方接地接点と、を備え、
前記第２レセプタクルは前記第１レセプタクルよりも大きな深さを有し、
前記第１レセプタクルが前記第２レセプタクルよりも大きな保持力を有するように、前記複数の側方接地接点の前記第１接触部分によって与えられる第１保持力は、前記複数の側方接地接点の前記第２接触部分によって与えられる第２保持力よりも大きい、アダプタ。
【請求項２】
前記第１ハウジング及び前記第２ハウジングは噛み合う、請求項１に記載のアダプタ。
【請求項３】
各側方接地接点の前記第１接触部分は、各側方接地接点の前記第２接触部分が前記第２レセプタクル内へ延びるのよりも大きな距離を前記第１レセプタクル内へ延びる、請求項１に記載のアダプタ。
【請求項４】
前記複数の側方接地接点はそれぞれ、熱カシメを用いて前記第１ハウジング又は前記第２ハウジングの突起に取り付けられる、請求項１に記載のアダプタ。
【請求項５】
前記第１ハウジング及び前記第２ハウジングの周りに外側ハウジングを更に備える、請求項４に記載のアダプタ。
【請求項６】
前記第１ハウジング及び前記第２ハウジングの開口が前記外側ハウジングの開口に整列されうるように、前記第１ハウジングと前記第２ハウジングとの間に圧縮可能領域を更に備える、請求項５に記載のアダプタ。
【請求項７】
前記第１レセプタクルと前記第２レセプタクルとは、前記複数の接点の接触部分を同じ個数有する、請求項１に記載のアダプタ。
【請求項８】
前記第１レセプタクル内の隣接する各第１接触部分の間隔は、前記第２レセプタクル内の隣接する各第２接触部分の間隔と等しい、請求項７に記載のアダプタ。
【請求項９】
アダプタであって、
複数のスロットを有する第１ハウジングによって形成された第１レセプタクルであって、各スロットは複数の接点のうちの１つの第１接触部分のためのものである、第１レセプタクルと、
複数のスロットを有する第２ハウジングによって形成された第２レセプタクルであって、各スロットは前記複数の接点のうちの１つの第２接触部分のためのものである、第２レセプタクルと、
複数の側方接地接点であって、各側方接地接点は、前記第１レセプタクル内の第１接触部分と、前記第２レセプタクル内の第２接触部分とを有する、複数の側方接地接点と、を備え、
前記第１レセプタクルが前記第２レセプタクルよりも大きな保持力を有するように、前記第１レセプタクル内の前記複数の側方接地接点の前記第１接触部分によって与えられる第１保持力は、前記第２レセプタクル内の前記複数の側方接地接点の前記第２接触部分によって与えられる第２保持力よりも大きい、アダプタ。
【請求項１０】
前記第１ハウジング及び前記第２ハウジングが噛み合うように、前記第１ハウジングの爪が前記第２ハウジングのスロットにフィットする、請求項９に記載のアダプタ。
【請求項１１】
前記第２レセプタクルは、前記第１レセプタクルよりも深い、請求項９に記載のアダプタ。
【請求項１２】
各側方接地接点の前記第１接触部分は、各側方接地接点の前記第２接触部分が前記第２レセプタクル内へ延びるのよりも大きな距離を前記第１レセプタクル内へ延びる、請求項１１に記載のアダプタ。
【請求項１３】
前記複数の側方接地接点はそれぞれ、熱カシメを用いて前記第１ハウジング又は前記第２ハウジングの突起に取り付けられる、請求項１１に記載のアダプタ。
【請求項１４】
前記第１ハウジング及び前記第２ハウジングの周りに外側ハウジングを更に備える、請求項９に記載のアダプタ。
【請求項１５】
前記外側ハウジングは、前記第２ハウジングを超えて延びる張り出しを備え、それによって前記第２レセプタクルの深さを更に増加させる、請求項１４に記載のアダプタ。
【請求項１６】
前記第１レセプタクル内の隣接する各第１接触部分の間隔は、前記第２レセプタクル内の隣接する各第２接触部分の間隔と等しい、請求項９に記載のアダプタ。
【請求項１７】
前記第１レセプタクルと前記第２レセプタクルとは、前記複数の接点の接触部分を同じ個数有する、請求項１６に記載のアダプタ。
【請求項１８】
アダプタであって、
第１側方接地接点と、
第２側方接地接点と、
第１レセプタクルであって、第１コネクタインサートが前記第１レセプタクルに挿入された場合に、前記第１側方接地接点の第１接触部分及び前記第２側方接地接点の第１接触部分が前記第１コネクタインサートに第１保持力を与える、第１レセプタクルと、
第２レセプタクルであって、第２コネクタインサートが前記第２レセプタクルに挿入された場合に、前記第１側方接地接点の第２接触部分及び前記第２側方接地接点の第２接触部分が前記第２コネクタインサートに第２保持力を与える、第２レセプタクルと、を備え、
前記第１レセプタクルが前記第２レセプタクルよりも大きな保持力を有するように、前記第１保持力が前記第２保持力よりも大きくなるように、前記第１側方接地接点の前記第２接触部分及び前記第２側方接地接点の前記第２接触部分が前記第２レセプタクル内へ延びるのよりも大きな距離を前記第１側方接地接点の前記第１接触部分及び前記第２側方接地接点の前記第１接触部分が前記第１レセプタクル内へ延びる、アダプタ。
【請求項１９】
前記第１レセプタクルは第１ハウジングによって形成され、前記第２レセプタクルは第２ハウジングによって形成され、前記第２ハウジングは前記第１ハウジングよりも長い、請求項１８に記載のアダプタ。
【請求項２０】
前記第２ハウジングを超えて延びる張り出し部分を有する外側ハウジングを更に備える、請求項１９に記載のアダプタ。
【請求項２１】
前記第１ハウジング及び前記第２ハウジングが噛み合うように、前記第１ハウジングの爪が前記第２ハウジングのスロットにフィットする、請求項２０に記載のアダプタ。
【請求項２２】
前記張り出し部分は、前記第１レセプタクルに対するよりも大きな深さを前記第２レセプタクルに対して与える、請求項２０に記載のアダプタ。
【請求項２３】
前記第１レセプタクル内の第１接触部分と前記第２レセプタクル内の第２接触部分とを有する複数の接点を更に備え、
前記第１レセプタクルと前記第２レセプタクルとは、前記複数の接点の接触部分を同じ個数有する、請求項１８に記載のアダプタ。
【請求項２４】
前記第１レセプタクル内の隣接する各第１接触部分の間隔は、前記第２レセプタクル内の隣接する各第２接触部分の間隔と等しい、請求項２３に記載のアダプタ。
【請求項２５】
アダプタであって、
第１レセプタクルを備える第１ハウジングと、
第２レセプタクルを備える第２ハウジングと、
前記第１レセプタクル内の第１接触部分と前記第２レセプタクル内の第２接触部分とを有する複数の接点であって、前記複数の接点のそれぞれは、前記第１接触部分を含み水平に延びる第１アームと、前記第２接触部分を含み水平に延びる第２アームと、前記第１アームを前記第２アームに接続する傾斜接続部分と、を備える、複数の接点と、
複数の側方接地接点であって、各側方接地接点は、前記第１レセプタクル内の第１接触部分と、前記第２レセプタクル内の第２接触部分とを有する、複数の側方接地接点と、を備え、
前記第２レセプタクルは前記第１レセプタクルよりも大きな深さを有し、
前記第１レセプタクルが前記第２レセプタクルよりも大きな保持力を有するように、前記複数の側方接地接点の前記第１接触部分によって与えられる第１保持力は、前記複数の側方接地接点の前記第２接触部分によって与えられる第２保持力よりも大きい、アダプタ。
【請求項２６】
前記第１ハウジング及び前記第２ハウジングは噛み合う、請求項２５に記載のアダプタ。
【請求項２７】
各側方接地接点の前記第１接触部分は、各側方接地接点の前記第２接触部分が前記第２レセプタクル内へ延びるのよりも大きな距離を前記第１レセプタクル内へ延びる、請求項２５に記載のアダプタ。
【発明の詳細な説明】
【技術分野】
【０００１】
＜関連出願の相互参照＞
本願は、２０１６年３月７日に出願された米国特許出願第１５／０６２，２２１号、２０１５年９月８日に出願された米国特許出願第６２／２１５，７２１号及び２０１５年１１月１１日に出願された米国特許出願第６２／２５４，０７４号に優先権を主張し、これらは参照によって組み込まれる。
【背景技術】
【０００２】
商業的に入手可能な電子デバイスのタイプの数は過去数年で膨大に増加し、新たなデバイスの導入速度は弱まる気配を見せない。タブレット、ラップトップ、ネットブック、デスクトップ及びオールインワンコンピュータ、セルフォン、スマートフォン及びメディアフォン、ストレージデバイス、ポータブルメディアプレーヤ、ウェアラブルコンピューティングデバイス、ナビゲーションシステム、モニタ並びに他のもののようなデバイスはユビキタスになってきている。
【０００３】
電力及びデータは、１つ以上の有線導体、光ファイバケーブル又は他の導体を含んでもよいケーブルを介して１つのデバイスから別のデバイスへ提供されうる。コネクタインサートは、これらのケーブルの両端に位置してもよく、通信デバイス又は電力伝送デバイスのコネクタレセプタクルに挿入されてもよい。
【０００４】
一部のデバイスは、コネクタレセプタクルの代わりにデバイス自体にコネクタインサートを含みうる。コネクタインサートを含むことの動機は、サイズ又は他の理由でありうる。すなわち、コネクタインサートはコネクタレセプタクルよりも小さいことがあり、この理由でコネクタレセプタクルの代わりにデバイスに含まれうる。このような状況で、ケーブルのコネクタインサートをデバイスのコネクタインサートに直接に接続することは可能でないことがある。
【０００５】
このような場合にアダプタが使用されうる。例えば、「メス・メス」アダプタが用いられうる。このようなアダプタは、ハウジングの両端にコネクタレセプタクルを有しうる。アダプタの第１端にある第１コネクタレセプタクルは、ケーブルの端にあるコネクタインサートを受け入れてもよく、アダプタの第２端にある第２コネクタレセプタクルは、デバイスのコネクタインサートを受け入れてもよい。このように、デバイスは、ケーブルの遠方端にある第２デバイスと通信し、電力を共有できてもよい。
【０００６】
あいにく、これらのアダプタは大きく、かさばりうる。また、これらは複雑であり複数の別個の部品で作られうる。この複雑さは、アダプタの製造を高価にし、組み立てを困難にしうる。
【０００７】
よって、必要なものは、サイズが小さく容易に組み立てられうるアダプタである。
【発明の概要】
【発明が解決しようとする課題】
【０００８】
したがって、本発明の実施形態は、サイズが小さく容易に組み立てられうるアダプタを提供しうる。
【課題を解決するための手段】
【０００９】
本発明の説明される実施形態は、第２レセプタクルに接続された第１レセプタクルを有するアダプタを提供してもよい。第２レセプタクルは、コネクタインサート又はプラグが現れるデバイスと同時に使用するように構成されてもよい。このコネクタインサートは、同じタイプの従来のコネクタインサートよりも長くてもよく、第２レセプタクルは長いコネクタインサートを受け入れるために長く又は深くてもよい。これは、従来のコネクタインサートが第２レセプタクルに挿入されることを防いでもよい。例えばケーブル上の従来のコネクタインサートは、第１レセプタクルに挿入されてもよい。
【００１０】
本発明の説明される実施形態は、第１レセプタクル内の第１接触部分と第２レセプタクル内の第２接触部分とを有する接点を提供することによって、小さなサイズを有するアダプタを提供してもよい。すなわち、各レセプタクルに延びる接点は、単一部品としてプレス加工又は他のように形成されてもよい。これは、各コネクタレセプタクル内の別個の接点を互いに結合する必要を排除し、アダプタが短い長さを有することを可能にしうる単純化である。同様に、共有された側方接地接点が用いられてもよく、各側方接地接点は、第１レセプタクル内の第１接触部分と、第２レセプタクル内にある第２接触部分とを有する。第１接触部分によって与えられる第１保持力は、第２接触部分によって与えられる第２保持力よりも大きくてもよい。例えば、側方接地接点は、第１レセプタクルにおいて延びるほど第２レセプタクルに延びなくてもよい。これらの及びその他の実施形態で、側方接地接点の形状は第２レセプタクルで異なっていてもよく、例えば、これは少ない曲率を有してもよい。これは、ケーブルがデバイスから外される際にアダプタがデバイスに取り付けられたままになることを防いでもよい。すなわち、ケーブルがデバイスから引き抜かれる際にアダプタがケーブルコネクタに固定されたままとなりやすくなってもよい。
【００１１】
アダプタは、第１レセプタクルのための第１ハウジングと、第２レセプタクルのための第２ハウジングとを含んでもよい。これらのハウジングは、機械的にロック又は噛み合ってもよい。圧縮可能又は他のように調整可能な領域がこれらの間に存在してもよい。これは、第１ハウジング及び第２ハウジングの縁が、第１ハウジング及び第２ハウジングを囲みうる外側ハウジングの縁に位置することを助けてもよい。側方接地接点は、熱カシメを用いて第１ハウジング及び第２ハウジングのうちの１つの突起に取り付けられてもよい。接点は、接点をハウジングに機械的にロックするためのクラッシュリブのような特徴物を含んでもよい。
【００１２】
本発明の様々な実施形態で、アダプタの部品は様々な材料で様々なやり方で形成されてもよい。例えば、導電部分は、プレス加工、金属射出成型、機械加工、マイクロ機械加工、３Ｄ印刷又は他の製造プロセスで形成されてもよい。導電部分は、ステンレススチール、スチール、銅、銅チタン、リン青銅、パラジウム、パラジウム銀若しくは他の材料又は材料の組み合わせで形成されてもよい。これらは、ニッケル、金又は他の材料でメッキ又は被覆されてもよい。ハウジング及び他の部分のような非導電部分は、射出又は他のモールド成形、３Ｄ印刷、機械加工又は他の製造プロセスを用いて形成されてもよい。非導電部分は、シリコン又はシリコーン、マイラー、マイラーテープ、ゴム、硬質ゴム、プラスチック、ナイロン、エラストマ、液晶ポリマ（ＬＣＰ）、セラミック若しくは他の非導電材料又は材料の組み合わせで形成されてもよい。
【００１３】
本発明の実施形態は、ポータブルコンピューティングデバイス、タブレットコンピュータ、デスクトップコンピュータ、ラップトップ、オールインワンコンピュータ、ウェアラブルコンピューティングデバイス、セルフォン、スマートフォン、メディアフォン、ストレージデバイス、ケース、カバー、キーボード、ペン、スタイラス、ポータブルメディアプレーヤ、ナビゲーションシステム、モニタ、電源、アダプタ、リモートコントロールデバイス、充電器及び他のデバイスのような様々なタイプのデバイスに接続されうるアダプタを提供しうる。これらのアダプタは、開発済みであるか、開発中であるか、将来開発される、ＵＳＢタイプＣを含むユニバーサルシリアルバス（ＵＳＢ）標準、ハイデフィニションマルチメディアインタフェース（ＨＤＭＩ）、デジタルビジュアルインタフェース（ＤＶＩ）、イーサネット、ディスプレイポート、サンダーボルト、ライトニング、ジョイントテストアクショングループ（ＪＴＡＧ）、テストアクセスポート（ＴＡＰ）、ディレクテッドオートメイテッドランダムテスティング（ＤＡＲＴ）、ユニバーサルアシンクロナスレシーバ／トランスミッタ（ＵＡＲＴｓ）の１つのような様々な標準に準拠する信号及び電力、クロック信号、電力信号及び他のタイプの標準、非標準及び独自インタフェース、並びにこれら組みあわせのための経路を提供しうるコネクタレセプタクル又はコネクタインサートを含みうる。
【００１４】
本発明の様々な実施形態は、本書に記載されるこれらの特徴又は他の特徴のうちの１つ以上を包含してもよい。本発明の特性及び利点のよりよい理解は、以下の詳細な説明及び添付の図面を参照することによって得られうる。
【図面の簡単な説明】
【００１５】
【図１】本発明の実施形態によるアダプタを含む電子システムを説明する。
【００１６】
【図２】本発明の実施形態によるアダプタの透視図を説明する。
【００１７】
【図３】本発明の実施形態によるアダプタに用いられうるハウジングを説明する。
【００１８】
【図４】本発明の実施形態によるアダプタの組み立て中に咬み合わされるハウジングを説明する。
【００１９】
【図５】本発明の実施形態によるアダプタに用いられうるハウジングの拡大図である。
【００２０】
【図６】本発明の実施形態によるアダプタの分解図を説明する。
【００２１】
【図７】本発明の実施形態によるアダプタの側面図を説明する。
【００２２】
【図８】本発明の実施形態によるアダプタの切断上面図を説明する。
【００２３】
【図９】本発明の実施形態によるアダプタを説明する。
【００２４】
【図１０】本発明の実施形態によるアダプタの正面図を説明する。
【発明を実施するための形態】
【００２５】
図１は本発明の実施形態によるアダプタを含む電子システムを説明する。他の含まれる図面でも同様であるが、この図は例示のために示されるのであって、本発明の取りうる実施形態又は特許請求の範囲のいずれも制限しない。
【００２６】
この電子システムで、電子デバイス１１０は、コネクタインサート１１２を含んでもよい。コネクタインサート１１２は、デバイス１１０の表面から現れてもよく、又はコネクタインサート１１２は、ケーブル又は他の導電体を通じて電子デバイス１１０に接続されてもよい。アダプタ１２０は、コネクタインサート１１２を受け入れるための第１レセプタクル１２２を含んでもよい。本発明の様々な実施形態で、コネクタインサート１１２は、このタイプの従来のコネクタインサートよりも長くてもよい。したがって、コネクタレセプタクル１２２は、対応して同様に長くてもよい。これは、同じタイプの従来のコネクタインサートがコネクタレセプタクル１２２に挿入されることを防いでもよい。これに代えて、コネクタレセプタクル１２２に大きな深さを与えることによって、コネクタレセプタクル１２２はデバイス１１０及びこれらのコネクタインサート１１２に用いるために予約されてもよい。
【００２７】
アダプタ１２０は、第２コネクタレセプタクル１２４を含んでもよい。コネクタレセプタクル１２４は、ケーブル１３０のコネクタインサート又はプラグ１３２を受け入れてもよい。ケーブル１３０は、コネクタインサート１３４で終端してもよい。本発明の様々な実施形態で、コネクタインサート１３２及びコネクタインサート１３４は、同じ異なるタイプのコネクタインサートであってもよい。
【００２８】
本発明の具体的な実施形態で、コネクタインサート１１２及び１３２はライトニングコネクタインサートであってもよく、又はこれらはライトニングコネクタレセプタクルに準拠するフォームファクタを有してもよい。コネクタレセプタクル１２２  １２４もライトニングコネクタレセプタクルであってもよく、又はこれらはライトニングコネクタインサートに準拠するフォームファクタを有してもよい。コネクタインサート１３４は、ＵＳＢタイプＣコネクタのような異なるタイプのコネクタインサートであってもよい。
【００２９】
図２は、本発明の実施形態によるアダプタの透視図を説明する。アダプタ１２０は、レセプタクル１２２及び１２４のための開口を含んでもよい。接点２１０は、コネクタレセプタクル１２２及び１２４のそれぞれに接触部分を有してもよい。レセプタクル１２２のために第１ハウジング２３０が含まれてもよく、レセプタクル１２４のために第２ハウジング２４０が含まれてもよい。第１ハウジング２３０及び第２ハウジング２４０は、噛み合い又は他のように機械的に一緒に接続されてもよい。外側ハウジング２５０は、第１ハウジング２３０及び第２ハウジング２４０を囲んでもよい。側方接地接点２２０は、第１コネクタレセプタクル１２２と第２コネクタレセプタクル１２４との間で共有されてもよい。側方接地接点２２０は、第１レセプタクル１２２内の第１接触部分２２２と、第２コネクタレセプタクル１２４内の第２接触部分２２４とを含んでもよい。本発明の様々な実施形態で、第１接触部分２２２によって与えられる保持力が、第２接触部分２２４によって与えられる保持力よりも小さくてもよいが、本発明の他の実施形態では、これらの保持力が等しくてもよいし、第１接触部分２２２によって与えられる保持力が、第２接触部分２２４によって与えられる保持力よりも大きくてもよい。第１接触部分２２２によって与えられる保持力が第２接触部分２２４によって与えられる保持力よりも小さいことは、（図１に示されるように、）ケーブル１３０がデバイス１１０から抜き取られる際に、アダプタ１２０がケーブル１３０に接続されたままとなりうること及びデバイス１１０から外れうることを保証してもよい。すなわち、コネクタインサート１３２がコネクタレセプタクル１２４の定位置に留まるようにレセプタクル１２４における保持力が高くてもよく、（図１に示されるように）ケーブル１３０がデバイス１１０から抜き取られる際にコネクタインサート１１２がコネクタレセプタクル１２２から外れるようにレセプタクル１２２における保持力が小さくてもよい。
【００３０】
本発明の様々な実施形態で、第２ハウジング２４０の外側をハウジング２５０の外縁に整列することが望ましくてもよい。したがって、第１ハウジング２３０と第２ハウジング２４０との間に、圧縮可能又は他のように調整可能若しくは適合する領域が配置又は位置してもよい。このように、第１ハウジング２３０と第２ハウジング２４０との間隔が調整されてもよく、それによってハウジング２３０及び２４０の外縁が外側ハウジング２５０の外縁に整列することが可能となる。
【００３１】
本発明の様々な実施形態で、側方接地接点２２０は、第１ハウジング２３０と第２ハウジング２４０とのうちの１つに締結されてもよい。この例で、側方接地接点３０の中央の開口は、第１ハウジング２３０のポスト２３２に整列されてもよい。側方接地接点２２０に取り付けられるようにポスト又は突起２３２を融かすために熱カシメが用いられてもよい。
【００３２】
図３は、本発明の実施形態によるアダプタに用いられうるハウジングを説明する。レセプタクル１２２のために第１ハウジング２３０が含まれてもよく、レセプタクル１２４のために第２ハウジング２４０が含まれてもよい。ハウジング２４０は、（図２に示されるように）この上に側方接地接点２２０の開口がフィットしうるクラッシュリブ２４３を有するポスト２４２だけでなく、側方接地接点２２０のための側方開口２４７を含んでもよい。ハウジング２４０は、（図２に示されるように）接点２１０のためのスロット２４９も含んでもよい。ハウジング２３０は、（図２に示されるように）側方接地接点２２０のための側方開口２３７と、接点２１０のためのスロット２４９とを含んでもよい。
【００３３】
第１ハウジング２３０及び第２ハウジング２４０は、組み立て中に噛み合わされてもよいし、他のように機械的に一緒に接続されてもよい。例えば、ハウジング２３０の爪２３４は、ハウジング２４０のスロット２４４にフィットしてもよい。ハウジング２３０の切り欠き２３６は、ハウジング２４０の隆起部分２４６の上にフィットしてもよい。ハウジング２３０の後部２３５がハウジング２４０の後部２４５に隣接するように、ハウジング２４０に噛み合わせるためにハウジング２３０が下げられてもよい。
【００３４】
図４は、本発明の実施形態によるアダプタの組み立て中に噛み合わされるハウジングを説明する。ハウジング２３０の爪２３４は、ハウジング２４０のスロット２４４にフィットしてもよい。ハウジング２３０の切り欠き２３６は、ハウジング２４０の隆起部分２４６の上にフィットしてもよい。ハウジング２３０の後部２３５がハウジング２４０の後部２４５に隣接するように、ハウジング２４０に噛み合わせるためにハウジング２３０が下げられてもよい。このようにして、ハウジング２３０及び２４０が互いに固定されてもよい。外側ハウジング２５０は、ハウジング２３０及び２４０の上に配置されてもよい。
【００３５】
図５は、本発明の実施形態によるアダプタに用いられうるハウジングの拡大図である。ハウジング２４０は、第２ハウジングの爪を受け入れるためのスロット２４４を含んでもよい。ハウジング２４０は、クラッシュリブ２４３を有するポスト２４２を含んでもよい。ポスト２４２の上に側方接地接点の開口がフィットしてもよい。ポスト２４２は、側方接地接点を定位置に固定するために熱カシメされてもよい。隆起部分１４６の上に第２ハウジングの切り欠きがフィットしてもよい。
【００３６】
図６は、本発明の実施形態によるアダプタの分解図を説明する。接点２１０の接触部分は、スロット２４９にフィットしてもよく、機械的安定のためにハウジング２４０に引っかかってもよい。ハウジング２３０のタブ２３４がハウジング２４０のスロット２４４にフィットし、ハウジング２３０の切り欠き２３６がハウジング２４０の隆起部分２４６にフィットし、接点２１０がハウジング２３０のスロット２３９にフィットしうるように、ハウジング２３０がハウジング２４０に対して下げられてもよい。（ハウジング２３０及び２４０が噛み合う場合に、接点２１０の接触部分はその代わりにハウジング２３０のスロット２３９にフィットし、ついでハウジング２４０のスロット２４９にフィットしてもよい。）側方接地接点２２０は、ハウジング２４０のポスト２４２の上にフィットするための開口２２８を有してもよい。すなわち、側方接地接点２２０は、やはり熱カシメ又は他の技術を用いて、開口２２８でポスト２３２に取り付けられてもよい。側方接地接点２２０は、第１ハウジング２３０及び第２ハウジング２４０で開口２３４及び２４２にそれぞれフィットしてもよい。接点２１０が外側ハウジング２５０に接触することを防ぐために、ハウジング２４０の上部及びハウジング２３０の下部の覆うように絶縁層５１０及び５２０が配置されてもよい。外側ハウジング２５０は、第１ハウジング２３０及び第２ハウジング２４０を囲んでもよい。
【００３７】
図７は、本発明の実施形態によるアダプタの側面図を説明する。この側面図は接点２１０を説明する。接点２１０は、レセプタクル１２２内の第１接触部分２１２と、レセプタクル１２４内の第２接触部分２１４とを有してもよい。この略「Ｚ」型は、コネクタレセプタクル１２２がコネクタレセプタクル１２４の直近にあることを可能にし、それによってアダプタ１２０の全長を低減する。各接点２１０は掛り２１６を含んでもよく、これは機械的安定のためにハウジング２４０に引っかかってもよい。側方接地接点は、ハウジング２４０のレセプタクル１２４内の接触部分２２４と、ハウジング２３０のレセプタクル１２２内の接触部分２２２とを有してもよい。接点２１０が外側ハウジング２５０に接触することを防ぐために、ハウジング２４０の上部及びハウジング２４０の下部を覆うように絶縁層５１０及び５２０が配置されてもよい。外側ハウジング２４０は張り出し７１０を含んでもよい。張り出し７１０は、ハウジング２３０によって与えられるレセプタクル１２２の深さを延ばしてもよい。
【００３８】
張り出し７１０は、レセプタクル１２２の深さを延ばしてもよく、さらに、アダプタの製造を単純にしてもよい。繰り返すと、本発明の様々な実施形態で、第２ハウジング２４０の外側をハウジング２５０の外縁に整列することが望ましくてもよい。第１ハウジング２３０の外縁を外側ハウジング２５０の外縁に整列することも望ましくてもよい。したがって、第１ハウジング２３０と第２ハウジング２４０との間に圧縮可能又は他のように調整可能若しくは適合する領域が配置又は位置してもよい。このように、第１ハウジング２３０と第２ハウジング２４０との間隔が調整されてもよく、それによってハウジング２３０及び２４０の外縁がハウジング２５０の外縁に整列されることが可能になってもよい。張り出し７１０を用いることによって、第１ハウジング２３０は第２ハウジング２４０に組み立てられてもよい。２つのハウジングが外側ハウジング２５０に挿入されてもよく、外側ハウジング２５０が第１ハウジング２３０及び第２ハウジング２４０の周りに形成されてもよい。第２ハウジング２４０の外縁は、外側ハウジング２５０の対応縁に整列されてもよい。第１ハウジング２３０及び第２ハウジング２４０の長さの次元の任意の誤差が張り出し７１０の存在によって相殺又は隠匿されてもよい。このように、圧縮可能又は他のように調整可能若しくは適合する領域の存在が未然に防がれる。
【００３９】
図８は、本発明の実施形態によるアダプタの断面上面図を説明する。この図は、側方接地接点２２０の接触部分２２２及び２２４を説明する。繰り返すと、接触部分２２２は、アダプタ１２０がレセプタクル１２４で外れる前にレセプタクル１２２で外れるように、低減された保持力を与えてもよい。本発明の様々な実施形態で、接触部分２２４がそのコネクタレセプタクル１２４に延びるほど接触部分２２２がそのコネクタレセプタクル１２２に深く延びなくてもよく、又は接触部分２２２が、接触部分２２４と比較して異なる形状、長さ又は他の外観を有してもよい。本発明の他の実施形態では、接触部分２２２がそのコネクタレセプタクル１２２に延びるほど接触部分２２４がそのコネクタレセプタクル１２４に深く延びなくてもよく、又は接触部分２２４が、接触部分２２２と比較して異なる形状、長さ又は他の外観を有してもよい。
【００４０】
図９は、本発明の実施形態によるアダプタを説明する。アダプタ１２０は、ハウジング２４０を囲む外側ハウジング２５０を有してもよく、外側ハウジング２５０はレセプタクル１２４のための開口を含んでもよい。
【００４１】
図１０は、本発明の実施形態によるアダプタの正面図を説明する。繰り返すと、アダプタ１２０は、第２ハウジング２４０の周りに外側ハウジング２５０を含んでもよい。第２ハウジング２４０は、コネクタレセプタクル１２４のための開口を含んでもよい。接点２１０の接触部分２１４及び側方接地接触部分２２４は、コネクタレセプタクル１２４に位置してもよい。
【００４２】
本発明の様々な実施形態で、アダプタの部品は様々な材料で様々なやり方で形成されてもよい。例えば、導電部分は、プレス加工、金属射出成型、機械加工、マイクロ機械加工、３Ｄ印刷又は他の製造プロセスで形成されてもよい。導電部分は、ステンレススチール、スチール、銅、銅チタン、リン青銅、パラジウム、パラジウム銀若しくは他の材料又は材料の組み合わせで形成されてもよい。これらは、ニッケル、金又は他の材料でメッキ又は被覆されてもよい。ハウジング及び他の部分のような非導電部分は、射出又は他のモールド成形、３Ｄ印刷、機械加工又は他の製造プロセスを用いて形成されてもよい。非導電部分は、シリコン又はシリコーン、マイラー、マイラーテープ、ゴム、硬質ゴム、プラスチック、ナイロン、エラストマ、液晶ポリマ（ＬＣＰ）、セラミック若しくは他の非導電材料又は材料の組み合わせで形成されてもよい。
【００４３】
本発明の実施形態は、ポータブルコンピューティングデバイス、タブレットコンピュータ、デスクトップコンピュータ、ラップトップ、オールインワンコンピュータ、ウェアラブルコンピューティングデバイス、セルフォン、スマートフォン、メディアフォン、ストレージデバイス、ケース、カバー、キーボード、ペン、スタイラス、ポータブルメディアプレーヤ、ナビゲーションシステム、モニタ、電源、アダプタ、リモートコントロールデバイス、充電器及び他のデバイスのような様々なタイプのデバイスに接続されうるアダプタを提供しうる。これらのアダプタは、開発済みであるか、開発中であるか、将来開発される、ＵＳＢタイプＣを含むユニバーサルシリアルバス（ＵＳＢ）標準、ハイデフィニションマルチメディアインタフェース（ＨＤＭＩ）、デジタルビジュアルインタフェース（ＤＶＩ）、イーサネット、ディスプレイポート、サンダーボルト、ライトニング、ジョイントテストアクショングループ（ＪＴＡＧ）、テストアクセスポート（ＴＡＰ）、ディレクテッドオートメイテッドランダムテスティング（ＤＡＲＴ）、ユニバーサルアシンクロナスレシーバ／トランスミッタ（ＵＡＲＴｓ）の１つのような様々な標準に準拠する信号及び電力、クロック信号、電力信号及び他のタイプの標準、非標準及び独自インタフェース、並びにこれら組みあわせのための経路を提供しうるコネクタレセプタクル又はコネクタインサートを含みうる。
【００４４】
本発明の実施形態の上記説明は、説明のために提示されてきた。包括的であること又は本発明がまさに記載された形式に限定されることは意図しておらず、上記教示に照らして多くの修正及び変形が可能である。本発明の原理及びその実用的な応用を最良に説明し、それによって当業者が本発明を様々な実施形態で、特定の期待される使用に適した様々な修正とともに最良に使用できるように、実施形態が選ばれ記載されている。よって、本発明は、以下の特許請求の範囲内のすべての修正及び均等物を包含することが意図されることが理解されるだろう。
【図１】
0006795931.tif 000002
【図２】
0006795931.tif 000003
【図３】
0006795931.tif 000004
【図４】
0006795931.tif 000005
【図５】
0006795931.tif 000006
【図６】
0006795931.tif 000007
【図７】
0006795931.tif 000008
【図８】
0006795931.tif 000009
【図９】
0006795931.tif 000010
【図１０】
0006795931.tif 000011